(57)【要約】【課題】  従来の支持体と床スラブとの接合構造は、ボルトによる接合構造であり、「ピン接合」と言われるような接合構造であるため、接合部分の剛性が低く、床スラブが揺れやすい構造となるため、床衝撃音を低減するための構造としては不十分であった。【解決手段】  本発明は、建物の上階及び下階の床構成体１（１Ａ；１Ｂ）とこの上下階の床構成体間に設けられた支持体５との結合構造において、支持体５の上部と上階の床構成体１Ａとが剛接合により結合されたとともに、支持体５の下部と下階の床構成体１Ｂとが剛接合により結合されたことを特徴とする。【選択図】        図１
2006090034.tif 000002
【特許請求の範囲】
【請求項１】
建物の上階及び下階の床構成体とこの上下階の床構成体間に設けられた支持体との結合構造において、支持体の上部と上階の床構成体とが剛接合により結合されたとともに、支持体の下部と下階の床構成体とが剛接合により結合されたことを特徴とする床構成体と支持体との結合構造。
【請求項２】
床構成体のスラブと支持体との剛接合が、支持体に設けられた金属製の取付部と、取付部と床構成体のスラブとを距離を離して接続する接続具と、取付部と床構成体のスラブとの間に充填されて取付部と床構成体のスラブと接続具とを一体化する結合材とで形成されたことを特徴とする請求項１に記載の床構成体と支持体との結合構造。
【請求項３】
床構成体の金属部と支持体との剛接合が、支持体に設けられた金属製の取付部と、取付部と床構成体の金属部とを距離を離して接続する接続具と、取付部と床構成体の金属部との間に充填されて取付部と床構成体の金属部と接続具とを一体化する結合材とで形成されたことを特徴とする請求項１に記載の床構成体と支持体との結合構造。
【請求項４】
床構成体の金属梁と支持体との剛接合が、金属梁と支持体に設けられた金属製の取付部とを互いに接続する溶接接合により形成されたことを特徴とする請求項１に記載の床構成体と支持体との結合構造。
【請求項５】
建物における床構成体に取付けられて床構成体の端面と一定距離隔てて配置された建物の外壁構成体と、床構成体の端部側の上面に接続されて床構成体の端面より外壁構成体の方向に突出した板と、当該板の上面及び床構成体の端部側の上面に増し打ちされたコンクリート体とを備えたことを特徴とする床構成体の端部構造。
【発明の詳細な説明】
【技術分野】
【０００１】
本発明は、床構成体の剛性を上げるための床構成体と支持体との結合構造及び床構成体の端部構造に関する。
【背景技術】
【０００２】
床スラブによって上下階の床が構成される集合住宅において、上下端部が床スラブにボルトで固定された突張り部材を床スラブ間に追加して設けるようにした床衝撃音の低減構造が知られている（特許文献１等参照）。また、鋼柱と鋼梁とを高力ボルトで摩擦接合した接合構造が知られている（特許文献２等参照）。さらに、建物の床スラブの端部側における下部に取付けられて床スラブの端面と距離を隔てて配置されたカーテンウォールと呼ばれるような外壁構成体が知られている（特許文献３等参照）。
【特許文献１】特開２００１−３３６２４５号公報
【特許文献２】特開２００２−３７１６２７号公報
【特許文献３】特開平０９−３０２８２６号公報
【発明の開示】
【発明が解決しようとする課題】
【０００３】
しかしながら、上述した突張り部材のような支持体と床スラブとの接合構造や、鋼柱と鋼梁との接合構造は、ボルトによる接合構造であり、「ピン接合」と言われるような接合構造であるため、接合部分の剛性が低く、よって、床スラブの剛性も上がらない。また、外壁構成体の取付けられる床スラブの端面は開放端となっているため、床スラブの剛性も上がらない。したがって、床スラブが揺れやすい構造となるため、床衝撃音を低減するための構造としては不十分であった。
【課題を解決するための手段】
【０００４】
本発明における、建物の上階及び下階の床構成体とこの上下階の床構成体間に設けられた支持体との結合構造は、支持体の上部と上階の床構成体とが剛接合により結合されたとともに、支持体の下部と下階の床構成体とが剛接合により結合されたことを特徴とする。床構成体のスラブと支持体との剛接合が、支持体に設けられた金属製の取付部と、取付部と床構成体のスラブとを距離を離して接続する接続材と、取付部と床構成体のスラブとの間に充填されて取付部と床構成体のスラブと接続材とを一体化する結合材とで形成されたことや、床構成体の金属部と支持体との剛接合が、支持体に設けられた金属製の取付部と、取付部と床構成体の金属部とを距離を離して接続する接続材と、取付部と床構成体の金属部との間に充填されて取付部と床構成体の金属部と接続材とを一体化する結合材とで形成されたことや、床構成体の金属梁と支持体との剛接合が、金属梁と支持体に設けられた金属製の取付部とを互いに接続する溶接接合により形成されたことも特徴とする。
本発明における床構成体の端部構造は、建物における床構成体に取付けられて床構成体の端面と一定距離隔てて配置された建物の外壁構成体と、床構成体の端部側の上面に接続されて床構成体の端面より外壁構成体の方向に突出した板と、当該板の上面及び床構成体の端部側の上面に増し打ちされたコンクリート体とを備えたことを特徴とする。
【発明の効果】
【０００５】
本発明による床構成体と支持体との結合構造によれば、支持体と床構成体との剛接合により、接合部の剛性が高くなって床構成体の剛性も高くなり、床構成体が揺れにくくなるため、床衝撃音レベルを小さくでき、遮音性能を向上できる。床構成体のスラブと支持体との剛接合が、支持体の取付部と床構成体のスラブと接続具とが結合材により一体化された構造なので、接合部の剛性を高くできる。床構成体の金属部と支持体との剛接合が、支持体に設けられた金属製の取付部と床構成体の金属部と接続具とが結合材により一体化された構造なので、接合部の剛性を高くできる。床構成体の金属梁と支持体との剛接合が、金属梁と支持体に設けられた金属製の取付部とが溶接接合により接続された構造なので、簡単な溶接作業で剛接合を形成でき、接合部の剛性も高くできる。床構成体の端部構造によれば、増し打ちされたコンクリート体により、床構成体の剛性を高めることができ、遮音性能を向上できる。
【発明を実施するための最良の形態】
【０００６】
図１〜図３は本形態を示し、図１は上階の床構成体の鉄骨梁と下階の床構成体の床スラブ面と支持体との結合構造を示し、図２は上階の床構成体のデッキプレートと支持体との結合構造を示し、図３は床構成体の端部構造を示す。
【０００７】
図１において、建物はＳＲＣ（鉄骨鉄筋コンクリート）構造であって、床構成体１は金属部としてのデッキプレート２の上にスラブ３が打設されてかつデッキプレート２の下面２ａにはＨ形鋼による鉄骨梁４が取付けられた構造であり、支持体５はＨ形鋼による柱６と柱６の上端に設けられた上側の取付部７と柱６の下端に設けられた下側の取付部８とで形成される。上側の取付部７は、ボルト７ａにより柱６に結合された金属性のプレート９により形成される。プレート９は柱６の上端６ｔより上方に突出する。下側の取付部８は、柱６の下端において柱６の延長方向と直交する方向に延長して設けられた金属製のベース１０により形成される。
【０００８】
上階の床構成体１Ａのデッキプレート２の下面２ａと鉄骨梁４とは溶接接続部５０により互いに結合される。鉄骨梁４とプレート９とは溶接接続部５１により互いに結合される。ベース１０と下階の床構成体１Ｂのスラブ３とは、接続具１１としてのケミカルアンカー１１を用いて距離を離して接続されたスラブ３の上面３ａとベース１０との間に結合材としてのモルタル１２を充填して固化させることで床スラブ３とベース１０とケミカルアンカー１１とがモルタル１２により一体化されて結合される。即ち、床構成体１のスラブ３と支持体５との剛接合が、ベース１０とケミカルアンカー１１とスラブ３とがモルタル１２で一体化された構造で形成され、デッキプレート２と鉄骨梁４との剛接合が溶接接続部５０により形成され、鉄骨梁４とプレート９との剛接合が溶接接続部５１により形成される。よって、剛接合により接合部自体の剛性が高くなり、床構成体１の剛性も上がるので、床構成体１の固有振動周波数が高くなり、床構成体１が揺れにくくなるため、床衝撃音レベルを小さくできて、床構成体１の遮音性能を向上できる。また、支持体５のベース１５と下階の床構成体１Ｂのスラブ３との剛接合が、ベース１５とスラブ３とケミカルアンカー１１とがモルタル１２により一体化された構造なので、当該接合部の剛性を高くできる。また、金属同士であるデッキプレート２と鉄骨梁４との接合は溶接接続部５１よる剛接合としたので、簡単な溶接作業で剛接合を形成できるとともに、接合部の剛性も高くできる。
【０００９】
図２に示すように、床構成体１のデッキプレート２と支持体５とを接合する場合の剛接合の構造は、支持体５の柱６として上述のものより長さの長い柱６Ａを用い、柱６Ａの上端に設けられた上側の取付部７は、ボルト７ａにより柱６Ａに結合されて上端７ｔが柱６の上端６ｔより上方に突出する金属性のプレート９と、プレート９の上端と溶接接続部５３により接続され、柱６の延長方向と直交する方向に延長して設けられた金属製のベース１５とにより形成される。ベース１５と上階の床構成体１Ａとは、接続具としてのケミカルアンカー１１を用いて距離を離して接続されたベース１５とデッキプレート２の下面２ａとの間に結合材としてのモルタル１２を充填して固化させることでケミカルアンカー１１とスラブ３とベース１５とがモルタル１２により一体化されて結合される。即ち、床構成体１のデッキプレート２の下面と支持体５との剛接合が、ベース１５とケミカルアンカー１１とスラブ３とモルタル１２とで形成される。すなわち、支持体５の上側の取付部７と上の床構成体１のデッキプレート２とが剛接合により結合されたとともに、支持体５の下側の取付部８と下階の床構成体１の床スラブ３とが剛接合により結合された構成とすることで、図１の構造の場合と同様に、床構成体１の固有振動周波数を高くできて、床構成体１の剛性を上げることができ、床構成体１が揺れにくくなるため、床衝撃音レベルを小さくできて、床構成体１の遮音性能を向上できる。また、ベース１５とデッキプレート２の下面２ａとを溶接接続により結合する場合のように、溶接でデッキプレート２に孔をあけてしまうような事態を回避できる。
【００１０】
上階の床構成体１の下面がスラブ面である場合には、支持体５の上側の取付部７Ａと上階の床構成体１の下面との結合構造は、図１の支持体５の下側の取付部８と下の床構成体１のスラブ３との剛接合構造と同じにすればよい。これによれば、上階の床構成体１Ａのスラブ３と支持体５の上端との結合、及び、下階の床構成体１Ｂのスラブ３と支持体５の下端との結合を、共に、ベース１０とケミカルアンカー１１とスラブ３とをモルタル１２で一体化した剛接合としたので、より強固な剛接合構造を得ることができ、床構成体１Ａ，１Ｂと支持体５の上下端との接合部の剛性を高めることができる。
【００１１】
図３に示すように、本形態による床構成体の端部構造は、建物の床構成体１のスラブ３の端部１０１側における下部１０２に取付けられてスラブ３の端面１０３と一定距離隔てて配置された外壁構成体としてのカーテンウォール１０４と、スラブ３の端部１０１側における上面１０５にアンカーなどの固定具１０６により固定されてスラブ３の端面１０３よりカーテンウォール１０４の方向に突出した金属板１０７と、当該金属板１０７の上面１０８及びスラブ３の端部１０１側における上面１０５に増し打ちされたコンクリート体１０９とを備える。コンクリート体１０９の増し打ちされるスラブ３の上面１０５は予め粗い凹凸面に形成しておくことでコンクリート体１０９とスラブ３の上面１０５との結合を強固にでき、増し打ちされたコンクリート体１０９とスラブ３の上面１０５との剥離を防止している。カーテンウォール１０４はスラブ３の端面１０３の方向に延長する取付片１１０を備え、スラブ３の端部１０１側における下部１０２にはカーテンウォール１０４の方向に延長する取付片１１１を備え、取付片１１０；１１１同士がボルトナットなどの固定具１１２で連結されることで、スラブ３の端面１０３と離れた位置にカーテンウォール１０４が位置するようにカーテンウォール１０４がスラブ３の端部１０１の下部１０２に取付けられる。金属板１０７とカーテンウォール１０４との間には一定の隙間１１５が設けられ、地震時に金属板１０７がカーテンウォール１０４に衝突しないように構成されている。スラブ３の端面１０３とカーテンウォール１０４との間の空間には断熱材１１６が充填される。本形態の床構成体１の端部構造によれば、増し打ちされたコンクリート体１０９により、床構成体１の剛性を高めることができ、遮音性能を向上できる。
【産業上の利用可能性】
【００１２】
音衝撃対策が考慮されていない場合の多い事務所系建物を住居系建物に変更する際の改築時に本発明の構造を採用して支持体５やコンクリート体１０９を増設することで、住居系にも十分対応できる遮音性能を備えた建物に変更することができる。支持体５は、改築の際に増設する壁内に設けることが望ましい。金属板１０７の代わりに、樹脂板、その他の材料により形成された板を用いても良い。
【図面の簡単な説明】
【００１３】
【図１】上階の床構成体の鉄骨梁と下階の床構成体の床スラブ面と支持体との結合構造図（最良の形態）。
【図２】上階の床構成体のデッキプレートと支持体との結合構造図（最良の形態）。
【図３】床構成体の端部構造図（最良の形態）。
【符号の説明】
【００１４】
１  床構成体、２  デッキプレート（床構成体の金属部）、３  スラブ、
４  金属梁、５  支持体、７  プレート（取付部）、
１０；１５  ベース（取付部）、１１  ケミカルアンカー（接続具）、
１２  モルタル（結合材）、１０４  カーテンウォール（外壁構成体）、
１０７  金属板（板）、１０９  増し打ちされたコンクリート体。
【図１】
2006090034.tif 000003
【図２】
2006090034.tif 000004
【図３】
2006090034.tif 000005